(57)【要約】【課題】充電時間を短くすることができる情報処理装置及び充電制御方法並びにプログラムを提供すること。【解決手段】充電可能な電池部３１と、前記電池部の充電を行うとともに、充電器と接続可能であり、前記電池部の電池電圧を検出することが可能であり、充電電圧又は充電器種別を検出することが可能である充電回路部３２と、前記充電回路部から前記電池部の電池電圧の値及び充電電流の値又は充電器種別を取得し、取得した電池電圧の値及び充電電流の値又は充電器種別に基づいて、所定のアプリケーション又は機能の動作の制限及びその解除を制御する制御部３３と、を備える。【選択図】図６
2015032976.tif 000002
【特許請求の範囲】
【請求項１】
充電可能な電池部と、
前記電池部の充電を行うとともに、充電器と接続可能であり、前記電池部の電池電圧を検出することが可能であり、充電電圧又は充電器種別を検出することが可能である充電回路部と、
前記充電回路部から前記電池部の電池電圧の値及び充電電流の値又は充電器種別を取得し、取得した電池電圧の値及び充電電流の値又は充電器種別に基づいて、所定のアプリケーション又は機能の動作の制限及びその解除を制御する制御部と、
を備えることを特徴とする情報処理装置。
【請求項２】
前記充電回路部は、前記充電器から充電器種別に応じた特有の信号を取得することによって充電器種別を検出することが可能であることを特徴とする請求項１記載の情報処理装置。
【請求項３】
前記充電回路部は、ＳＤＰ、ＤＣＰ、ＣＤＰのいずれかのポートを検出することによって充電器種別を検出することが可能であり、
前記ＳＤＰは、ＵＳＢデータラインがプルダウンしたことを検出することによって最大出力電流０．５Ａまで給電可能なポートであり、
前記ＤＣＰは、ＵＳＢデータラインのＤ＋とＤ−とが短絡したことを検出することによって最大出力電流１．５Ａまで給電可能なポートであり、
前記ＣＤＰは、ＵＳＢデータラインの操作と監視によって実装されるハードウェアのハンドシェイクを検出することによって最大出力電流１．５Ａまで給電可能なポートであることを特徴とする請求項２記載の情報処理装置。
【請求項４】
前記制御部は、
取得した電池電圧の値が第１閾値未満、かつ、取得した充電電流の値が第２閾値未満又は取得した充電器種別が前記ＳＤＰのときに前記所定のアプリケーション又は機能のいずれか又は全ての動作を制限して充電する第１モードとし、
取得した電池電圧の値が前記第１閾値未満、かつ、取得した充電電流の値が前記第２閾値以上又は取得した充電器種別が前記ＤＣＰ若しくは前記ＣＤＰのときに前記第１モードよりも制限される機能及びアプリケーションが少ない状態で充電する第２モードとする、
ように制御することを特徴とする請求項３記載の情報処理装置。
【請求項５】
前記第１閾値は、前記充電回路部が定電流充電から定電圧充電に移行する電圧値であることを特徴とする請求項４記載の情報処理装置。
【請求項６】
前記第２閾値は、前記ＳＤＰの最大出力電流０．５Ａと前記ＤＣＰ又は前記ＣＤＰの最大出力電流１．５Ａとの間の値であることを特徴とする請求項４又は５記載の情報処理装置。
【請求項７】
前記制御部は、取得した電池電圧の値が前記第１閾値以上のときに前記所定のアプリケーション又は機能のいずれの動作を制限しない状態で充電する第３モードとするように制御することを特徴とする請求項４乃至６のいずれか一に記載の情報処理装置。
【請求項８】
前記充電器は、電源プラグ充電器、ワイヤレス充電器、ＵＳＢコネクタを有する電子機器、及び、クレードルのうちいずれかであることを特徴とする請求項１乃至７のいずれか一に記載の情報処理装置。
【請求項９】
制御部において、充電回路部から電池部の電池電圧の値及び充電電流の値又は充電器種別を取得する工程と、
制御部において、取得した電池電圧の値及び充電電流の値又は充電器種別に基づいて、所定のアプリケーション又は機能の動作の制限及びその解除を制御する工程と、
を含むことを特徴とする充電制御方法。
【請求項１０】
制御部において、充電回路部から電池部の電池電圧の値及び充電電流の値又は充電器種別を取得するステップと、
制御部において、取得した電池電圧の値及び充電電流の値又は充電器種別に基づいて、所定のアプリケーション又は機能の動作の制限及びその解除を制御するステップと、
を実行させることを特徴とするプログラム。
【発明の詳細な説明】
【技術分野】
【０００１】
本発明は、充電可能な情報処理装置及び充電制御方法並びにプログラムに関する。
【背景技術】
【０００２】
携帯電話機、スマートフォン等の情報処理装置の高機能化に伴い、電池容量も１５００〜２０００ｍＡｈを超える大容量の充電池を搭載した情報処理装置が市場に出回ってきている。このような情報処理装置では、高機能化や充電池の大容量化に伴い、充電時間が長くなる傾向がある。充電時間が長くなると、充電量が不十分なときに通信等を行うことで消費電流が増えて電圧降下が起こり、電圧不足により通信等が中断しやすくなる。このような充電中の通信等の中断を回避するために、特許文献１に記載の携帯通信端末では、充電状態を検出しているときに電池電圧の値が所定値未満の場合に複数の無線通信部の同時使用を禁止するように制御している。
【先行技術文献】
【特許文献】
【０００３】
【特許文献１】再公表特許第２００９／１０７５８２号公報
【発明の概要】
【発明が解決しようとする課題】
【０００４】
以下の分析は、本願発明者により与えられる。
【０００５】
しかしながら、近年、電源プラグ充電、ＵＳＢ端子充電、ワイヤレス充電等の充電手法が多様化し、規格等によって充電時に流せる最大出力電流が異なってきている。そのため、最大出力電流が小さい充電手法の場合に電池電圧の値に応じて複数の無線通信部を制御するだけでは、電池への充電電力が不足し、充電時間が長くなる可能性がある。
【０００６】
本発明の主な課題は、充電時間を短くすることができる情報処理装置及び充電制御方法並びにプログラムを提供することである。
【課題を解決するための手段】
【０００７】
本発明の第１の視点においては、情報処理装置において、充電可能な電池部と、前記電池部の充電を行うとともに、充電器と接続可能であり、前記電池部の電池電圧を検出することが可能であり、充電電圧又は充電器種別を検出することが可能である充電回路部と、前記充電回路部から前記電池部の電池電圧の値及び充電電流の値又は充電器種別を取得し、取得した電池電圧の値及び充電電流の値又は充電器種別に基づいて、所定のアプリケーション又は機能の動作の制限及びその解除を制御する制御部と、を備えることを特徴とする。
【０００８】
本発明の第２の視点においては、充電制御方法において、制御部において、充電回路部から電池部の電池電圧の値及び充電電流の値又は充電器種別を取得する工程と、制御部において、取得した電池電圧の値及び充電電流の値又は充電器種別に基づいて、所定のアプリケーション又は機能の動作の制限及びその解除を制御する工程と、を含むことを特徴とする。
【０００９】
本発明の第３の視点においては、制御部において、充電回路部から電池部の電池電圧の値及び充電電流の値又は充電器種別を取得するステップと、制御部において、取得した電池電圧の値及び充電電流の値又は充電器種別に基づいて、所定のアプリケーション又は機能の動作の制限及びその解除を制御するステップと、を実行させることを特徴とする。
【発明の効果】
【００１０】
本発明によれば、充電用の電力（特に、充電電流）を確保することができ、充電時間を短縮することができる。
【図面の簡単な説明】
【００１１】
【図１】本発明の実施形態１に係る情報処理装置の外観構成を模式的に示した斜視図である。
【図２】本発明の実施形態１に係る情報処理装置の内部構成を模式的に示したブロック図である。
【図３】１９００ｍＡｈリチウムイオン二次電池をＤＣＰ接続で充電したときの充電特性を示したグラフである。
【図４】本発明の実施形態１に係る情報処理装置の動作を模式的に示したフローチャートである。
【図５】本発明の実施形態１に係る情報処理装置における充電管理アプリケーションの設定画面を模式的に示した図である。
【図６】本発明の実施形態２に係る情報処理装置の構成を模式的に示したブロック図である。
【発明を実施するための形態】
【００１２】
［実施形態１］
本発明の実施形態１に係る情報処理装置について図面を用いて説明する。図１は、本発明の実施形態１に係る情報処理装置の外観構成を模式的に示した斜視図である。図２は、本発明の実施形態１に係る情報処理装置の内部構成を模式的に示したブロック図である。図３は、１９００ｍＡｈリチウムイオン二次電池をＤＣＰ接続で充電したときの電池電圧と充電電流の特性を示したグラフである。なお、ＤＣＰについては後述する。
【００１３】
情報処理装置１は、所定のプログラムに基づいて演算、制御等の情報処理を行う装置である（図１、図２参照）。情報処理装置１として、充電機能を有する情報処理装置が用いられ、例えば、携帯電話機、スマートフォン、ゲーム機、タブレットＰＣ（Personal Computer）、ノートＰＣ、ＰＤＡ（Personal Data Assistants：携帯情報端末）等を用いることができる。情報処理装置１は、所定のプログラムの一部として、電池の充電（急速充電含む）を管理するための充電管理アプリケーションを有する。
【００１４】
図１を参照すると、情報処理装置１は、外部にて、コネクタ２と着脱可能かつ電気的に接続可能である。コネクタ２は、ケーブル３と電気的に接続されている。ケーブル３は、充電器４と着脱可能かつ電気的に接続可能である。充電器４は、電源プラグ（図示せず）に着脱可能かつ電気的に接続可能な電源プラグ充電器である。
【００１５】
なお、情報処理装置１は、ワイヤレス充電可能な構成とすることができ、ワイヤレス充電スタンド（ワイヤレス充電器）と無接点で電力伝送可能なワイヤレス充電レシーバを内蔵した構成でもよく、ワイヤレス充電レシーバと着脱可能かつ電気的に接続可能な構成でもよい。また、情報処理装置１は、充電器４を用いないで、コネクタ２及びケーブル３を介してパーソナルコンピュータ、自動車用バッテリ等の電子機器のＵＳＢ（Universal Serial Bus）コネクタと電気的に接続して充電する構成であってもよい。さらに、情報処理装置１は、ＵＳＢ等の規格コネクタ類に接続することなく充電を行うクレードル（卓上ホルダ）と電気的に接続して充電する構成であってもよい。
【００１６】
情報処理装置１は、画像を表示する表示画面７を有する。表示画面７では、画面上の表示を押すことで機器を操作したり、情報を入力したりするためのタッチパネルを有するものであってもよい。情報処理装置１は、表示画面７の周囲の所定の位置に、充電中であることを点灯して知らせる充電インジケータ５（例えば、ＬＥＤ；Light Emitting Diode）を有する。情報処理装置１は、表示画面７の周囲の他の所定の位置に、機器を操作したり、情報を入力したりするための入力ボタン６を有する。
【００１７】
図２を参照すると、情報処理装置１は、内部において、主な構成部として、ＣＰＵ（Central Processing Unit）１１と、バス１２と、ＲＯＭ（Read Only Memory）１３と、ＲＡＭ（Random Access Memory）１４と、撮像部１５と、無線回路部１６と、入力部１７と、表示部１８と、充電回路部１９と、電池部２０と、アンテナ２１と、を有する。
【００１８】
ＣＰＵ１１は、所定のプログラムを実行することにより情報処理装置１内の演算、制御等の情報処理を行う機能部（制御部）である。ＣＰＵ１１は、バス１２を介して情報処理装置１内の各構成部１３〜２０と電気的に接続されている。ＣＰＵ１１は、電池部２０の充電を行う充電回路部１９から電池電圧及び充電電流の値を取得し、取得した電池電圧及び充電電流の値をＲＡＭ１４に格納する。ＣＰＵ１１は、充電中のシステム消費電流を抑えるために、取得した電池電圧及び充電電流の値に基づいて、高負荷アプリケーション（例えば、３Ｄゲーム等）や高負荷機能（例えば、カメラ機能、カメラライト、無線機能）の動作の制限及びその解除を制御する。
【００１９】
バス１２は、ＣＰＵ１１と各構成部１３〜２０との間を電気的に接続する伝送路である。ＲＯＭ１３は、ＣＰＵ１１が実行するための各種のプログラムやデータを記憶する、読み出し専用の記憶部である。ＲＡＭ１４は、ＣＰＵ１１がプログラムを実行する際に一時的に必要とされる情報を記憶する、書き込み及び読み出し可能な記憶部である。撮像部１５は、被写体の像を撮影する機能部である。無線回路部１６は、アンテナ２１を介して基地局（図示せず）と無線で電気通信を行う回路部である。
【００２０】
入力部１７は、機器を操作したり、情報を入力したりするための機能部である。入力部１７には、図１の入力ボタン６やタッチパネル（表示画面７に配されたもの）が含まれる。表示部１８は、情報を表示したり知らせたりする機能部である。表示部１８には、図１の表示画面７や充電インジケータ５が含まれる。充電回路部１９は、電池部２０の充電を行う回路部である。充電回路部１９は、コネクタ（図１の２）及びケーブル（図１の３）を介して充電器４（ＵＳＢコネクタ等でも可）と電気的に接続可能である。充電回路部１９は、電池部２０の電池電圧及び充電電圧を検出する機能を有する。電池部２０は、充電により電気を蓄えることが可能な二次電池である。電池部２０には、例えば、リチウムイオン二次電池を用いることができる。アンテナ２１は、高周波エネルギーを電波（電磁波）として空間に放射（送信）するとともに、空間の電波（電磁波）を高周波エネルギーへ相互に変換（受信）する機能部である。
【００２１】
ここで、図２の電池部２０として１９００ｍＡｈリチウムイオン二次電池を用いた場合のＤＣＰ（Dedicated Charging Port）で充電したときの充電特性（電池電圧と充電電流の特性）は、図３のようになる。まず、約７５０ｍＡの定電流充電を行い、その後、約４．２２Ｖの定電圧充電を行い、電池電圧の値が４．２２Ｖを上回り、かつ、充電電流の値が１２０ｍＡ以下になったときに満充電となる。なお、図２のＣＰＵ１１において、電池電圧及び充電電流の値に基づいてアプリケーションや無線機能の動作の制限及びその解除を制御する基準値として、電池電圧用の第１閾値を４．１Ｖに設定し、充電電流用の第２閾値を５５０ｍＡに設定することができる。
【００２２】
次に、本発明の実施形態１に係る情報処理装置の充電の際の動作について図面を用いて説明する。図４は、本発明の実施形態１に係る情報処理装置の動作を模式的に示したフローチャートである。図５は、本発明の実施形態１に係る情報処理装置における充電管理アプリケーションの設定画面を模式的に示した図である。なお、情報処理装置の構成部については、図２を参照されたい。
【００２３】
まず、情報処理装置１に充電器（電源プラグ充電、ＵＳＢ端子充電、ワイヤレス充電等に用いられる充電器）が接続されると、充電回路部１９は、充電器を検出し（ステップＡ１）、その後、充電回路部１９は、充電器の種別を検出する（ステップＡ２）。
【００２４】
ここで、充電器種別の検出では、充電器から充電器種別に応じた特有の信号を取得することによって充電器種別を検出することが可能であり、例えば、充電回路部１９において、ＳＤＰ（Standard Downstream Port）、ＤＣＰ（Dedicated Charging Port）、ＣＤＰ（Charging downstream port）のいずれかのポートを検出することによって充電器種別を検出することが可能である。なお、ＳＤＰは、ＵＳＢデータラインがプルダウンしたことを検出することによって最大出力電流０．５Ａまで給電可能なポートである。ＤＣＰは、ＵＳＢデータラインのＤ＋とＤ−とが短絡したことを検出することによって最大出力電流１．５Ａまで給電可能なポートである。ＣＤＰは、ＵＳＢデータラインの操作と監視によって実装されるハードウェアのハンドシェイクを検出することによって最大出力電流１．５Ａまで給電可能なポートである。なお、充電回路部１９は、ＳＤＰ、ＤＣＰ、ＣＤＰ以外の充電器種別（例えば、ワイヤレス充電器、クレードル等）の場合、充電器から充電器種別に応じた特有の信号を取得することによって充電器種別を検出することができる。
【００２５】
ステップＡ２の後、ＣＰＵ１１は、充電回路部１９で充電器種別が検出されると、充電管理アプリケーションを起動するとともに、充電回路部１９は、ステップＡ２で検出された充電器種別に応じて電池部２０の充電（機能を制限しない通常モードで充電）を開始する（ステップＡ３）。
【００２６】
ステップＡ３の後、ステップＡ８の後、ステップＡ９の後、又は、ステップＡ１１のＮＯの場合、ＣＰＵ１１は、充電回路部１９から電池部２０の電池電圧の値を取得する（ステップＡ４）。
【００２７】
ステップＡ４の後、ＣＰＵ１１は、取得した電池電圧の値が第１閾値（例えば、４．１Ｖ）未満であるか否かを判定する（ステップＡ５）。ここで、第１閾値は、充電回路部１９が定電流充電から定電圧充電に移行する電圧値である。電池部２０が１９００ｍＡｈリチウムイオン二次電池の場合、４．１Ｖ未満では定電流充電となっており、４．１Ｖ以上では定電圧充電となる（図３参照）。電池電圧の値が第１閾値未満でない場合（ステップＡ５のＮＯ）、ステップＡ１０に進む。
【００２８】
電池電圧の値が第１閾値未満である場合（ステップＡ５のＹＥＳ）、ＣＰＵ１１は、充電回路部１９から電池部２０の充電電流の値を取得する（ステップＡ６）。
【００２９】
ステップＡ６の後、ＣＰＵ１１は、取得した充電電流の値が第２閾値（例えば、５５０ｍＡ）未満であるか否かを判定する（ステップＡ７）。ここで、第２閾値は、ＳＤＰの最大出力電流０．５ＡとＤＣＰ又はＣＤＰの最大出力電流１．５Ａとの間の電流値である。電池部２０が１９００ｍＡｈリチウムイオン二次電池の場合、５５０ｍＡ未満ではＳＤＰによる定電流充電と判定し、５５０ｍＡ以上ではＤＣＰ又はＣＤＰによる定電流充電と判定することができる。なお、ＳＤＰ、ＤＣＰ、ＣＤＰの充電器種別は既にステップＡ２で検出されているので、ステップＡ６及びステップＡ７の代わりに、ＣＰＵ１１は、ステップＡ２で検出した充電器種別を用いて第１低消費モードにするか第２低消費モードにするかを判定してもよい。充電電流の値が第２閾値未満でない場合（ステップＡ７のＮＯ）、ステップＡ９に進む。
【００３０】
充電電流の値が第２閾値未満である場合（ステップＡ７のＹＥＳ）、ＳＤＰによる定電流充電（最大出力電流０．５Ａの定電圧充電）となっているので、ＣＰＵ１１は、充電電流を最大限電池に充電させるため、第１低消費モードで充電するように制御する（ステップＡ８）。ステップＡ８の後、第１低消費モードを維持したまま、ステップＡ４に戻る。ここで、第１低消費モードとは、高負荷機能（例えば、カメラ機能、カメラライト、無線通信）、高負荷アプリケーション（例えば、３Ｄゲーム）の使用を制限して充電するモードであり（図５参照）、低負荷アプリケーション（例えば、ミュージック）の使用は可能であり、例えば、無線通信に関しワイヤレスＬＡＮ（Local Area Network）通信ではアクセスポイントとの受信間隔を長くしたり、高負荷機能や高負荷アプリケーションを一時的に使用（起動）できないように制限する。なお、第１低消費モードは、ユーザの操作により制限しようとする機能、アプリケーションを任意に設定することができる。
【００３１】
充電電流の値が第２閾値未満でない場合（ステップＡ７のＮＯ）、ＤＣＰ又はＣＤＰによる定電流充電（最大出力電流１．５Ａの定電圧充電）となっているので、ＣＰＵ１１は、第１低消費モードよりも制限される機能及びアプリケーションが少ない第２低消費モードで充電するように制御する（ステップＡ９）。ステップＡ９の後、第２低消費モードを維持したまま、ステップＡ４に戻る。ここで、第２低消費モードとは、第１低消費モードよりも制限される機能及びアプリケーションが少ない状態で充電するモードである。なお、第２低消費モードも、ユーザの操作により制限しようとする機能を任意に設定することができる。
【００３２】
電池電圧の値が第１閾値未満でない場合（ステップＡ５のＮＯ）、電圧不足により通信等が中断しない水準にあるので、ＣＰＵ１１は、機能を制限しない通常モードで充電するように制御する（ステップＡ１０）。ここで、通常モードとは、機能を制限しないで充電するモードである。
【００３３】
ステップＡ１０の後、ＣＰＵ１１は、満充電となっているか否かを判定する（ステップＡ１１）。ここで、満充電の判定は、例えば、電池部２０が１９００ｍＡｈリチウムイオン二次電池の場合、ＣＰＵ１１にて、充電回路部１９から電池部２０の充電電流の値を取得し、取得した充電電流の値が１２０ｍＡ以下（かつ、定電圧充電）になっているか否かを判定することにより行うことができる。満充電となっていない場合（ステップＡ１１のＮＯ）、通常モードを維持したまま、ステップＡ４に戻る。
【００３４】
満充電となっている場合（ステップＡ１１のＹＥＳ）、ＣＰＵ１１は、充電終了処理（充電管理アプリケーション終了処理）を行い（ステップＡ１２）、その後、充電動作を終了する。
【００３５】
以上のとおり、図４では電池電圧用の第１閾値を１つ、かつ、低消費モードを２つに設定しているが、ユーザの利便性を考慮して、電池電圧用の第１閾値を複数、かつ、低消費モードを３つ以上（通常モードを含めて４つ以上）に設定にしてもよい。
【００３６】
なお、充電管理アプリケーションでは、例えば、図５のように、充電時の電池電圧用の第１閾値（ここでは電池容量［％］）の指定）と、充電中の高負荷機能（カメラ機能、カメラライト、無線通信）、高負荷アプリケーション（３Ｄゲーム）のＯＮ／ＯＦＦを指定することができる。また、電池電圧用の第１閾値の範囲は、電池容量換算で０−１００％任意に選択できる。さらに、電池電圧の値が第１閾値以下のときにＯＦＦにする機能、アプリケーションを任意に設定することができ、充電電流の値が第２閾値未満（かつ、電池電圧の値が第１閾値以下）のときにＯＦＦにする機能、アプリケーションを任意に設定（電池電圧の値が第１閾値以下のときにＯＦＦにする機能、アプリケーションと重複しないように設定）することができる。
【００３７】
実施形態１によれば、情報処理装置１が充電するときに電池部２０の電池電圧だけでなく充電電流又は充電器種別に応じて高負荷機能・高負荷アプリケーションの使用を制限することで、充電器種別に応じた充電用の電力（特に、充電電流）を確保することができ、充電時間を短縮することができる。つまり、電池部２０の充電において、情報処理装置１の動作を制限してでも充電用の電力（特に、電流）を確保したほうが良い充電状態（例えば、定電流充電）を検出したときに、情報処理装置１の所定の動作を制限して消費電力を削減し、電池部２０への充電動作を優先させることで、充電用の電力（電流）を確保することができ、充電時間を短縮することができる。
【００３８】
［実施形態２］
本発明の実施形態２に係る情報処理装置について図面を用いて説明する。図６は、本発明の実施形態２に係る情報処理装置の構成を模式的に示したブロック図である。
【００３９】
情報処理装置１は、電池部３１と、充電回路部３２と、制御部３３と、を有する。電池部３１は、充電可能である。充電回路部３２は、電池部３１の充電を行うとともに、充電器と接続可能であり、電池部３１の電池電圧を検出することが可能であり、充電電圧又は充電器種別を検出することが可能である。制御部３３は、充電回路部３２から電池部３１の電池電圧の値及び充電電流の値又は充電器種別を取得し、取得した電池電圧の値及び充電電流の値又は充電器種別に基づいて、所定のアプリケーション又は機能の動作の制限及びその解除を制御する。制御部３３の動作は、所定のプログラムを実行することによって行われる。
【００４０】
実施形態２によれば、充電用の電力（特に、充電電流）を確保することができ、充電時間を短縮することができる。
【００４１】
なお、本出願において図面参照符号を付している場合は、それらは、専ら理解を助けるためのものであり、図示の態様に限定することを意図するものではない。
【００４２】
また、本発明の全開示（請求の範囲及び図面を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。また、本願に記載の数値及び数値範囲については、明記がなくともその任意の中間値、下位数値、及び、小範囲が記載されているものとみなされる。
【００４３】
（付記）
本発明の第１の視点においては、情報処理装置において、充電可能な電池部と、前記電池部の充電を行うとともに、充電器と接続可能であり、前記電池部の電池電圧を検出することが可能であり、充電電圧又は充電器種別を検出することが可能である充電回路部と、前記充電回路部から前記電池部の電池電圧の値及び充電電流の値又は充電器種別を取得し、取得した電池電圧の値及び充電電流の値又は充電器種別に基づいて、所定のアプリケーション又は機能の動作の制限及びその解除を制御する制御部と、を備えることを特徴とする。
【００４４】
本発明の前記情報処理装置において、前記充電回路部は、前記充電器から充電器種別に応じた特有の信号を取得することによって充電器種別を検出することが可能であることが好ましい。
【００４５】
本発明の前記情報処理装置において、前記充電回路部は、ＳＤＰ、ＤＣＰ、ＣＤＰのいずれかのポートを検出することによって充電器種別を検出することが可能であり、前記ＳＤＰは、ＵＳＢデータラインがプルダウンしたことを検出することによって最大出力電流０．５Ａまで給電可能なポートであり、前記ＤＣＰは、ＵＳＢデータラインのＤ＋とＤ−とが短絡したことを検出することによって最大出力電流１．５Ａまで給電可能なポートであり、前記ＣＤＰは、ＵＳＢデータラインの操作と監視によって実装されるハードウェアのハンドシェイクを検出することによって最大出力電流１．５Ａまで給電可能なポートであることが好ましい。
【００４６】
本発明の前記情報処理装置において、前記制御部は、取得した電池電圧の値が第１閾値未満、かつ、取得した充電電流の値が第２閾値未満又は取得した充電器種別が前記ＳＤＰのときに前記所定のアプリケーション又は機能のいずれか又は全ての動作を制限して充電する第１モードとし、取得した電池電圧の値が前記第１閾値未満、かつ、取得した充電電流の値が前記第２閾値以上又は取得した充電器種別が前記ＤＣＰ若しくは前記ＣＤＰのときに前記第１モードよりも制限される機能及びアプリケーションが少ない状態で充電する第２モードとする、ように制御することが好ましい。
【００４７】
本発明の前記情報処理装置において、前記第１閾値は、前記充電回路部が定電流充電から定電圧充電に移行する電圧値であることが好ましい。
【００４８】
本発明の前記情報処理装置において、前記第２閾値は、前記ＳＤＰの最大出力電流０．５Ａと前記ＤＣＰ又は前記ＣＤＰの最大出力電流１．５Ａとの間の値であることが好ましい。
【００４９】
本発明の前記情報処理装置において、前記制御部は、取得した電池電圧の値が前記第１閾値以上のときに前記所定のアプリケーション又は機能のいずれの動作を制限しない状態で充電する第３モードとするように制御することが好ましい。
【００５０】
本発明の前記情報処理装置において、前記充電器は、電源プラグ充電器、ワイヤレス充電器、ＵＳＢコネクタを有する電子機器、及び、クレードルのうちいずれかであることが好ましい。
【００５１】
本発明の第２の視点においては、充電制御方法において、制御部において、充電回路部から電池部の電池電圧の値及び充電電流の値又は充電器種別を取得する工程と、制御部において、取得した電池電圧の値及び充電電流の値又は充電器種別に基づいて、所定のアプリケーション又は機能の動作の制限及びその解除を制御する工程と、を含むことを特徴とする。
【００５２】
本発明の第３の視点においては、制御部において、充電回路部から電池部の電池電圧の値及び充電電流の値又は充電器種別を取得するステップと、制御部において、取得した電池電圧の値及び充電電流の値又は充電器種別に基づいて、所定のアプリケーション又は機能の動作の制限及びその解除を制御するステップと、を実行させることを特徴とする。
【符号の説明】
【００５３】
１  情報処理装置
２  コネクタ
３  ケーブル
４  充電器
５  充電インジケータ
６  入力ボタン
７  表示画面
１１  ＣＰＵ
１２  バス
１３  ＲＯＭ
１４  ＲＡＭ
１５  撮像部
１６  無線回路部
１７  入力部
１８  表示部
１９  充電回路部
２０  電池部
２１  アンテナ
３１  電池部
３２  充電回路部
３３  制御部
【図１】
2015032976.tif 000003
【図２】
2015032976.tif 000004
【図３】
2015032976.tif 000005
【図４】
2015032976.tif 000006
【図５】
2015032976.tif 000007
【図６】
2015032976.tif 000008